(57)【要約】      （修正有）【課題】スムーズに方向転換できるキャスター（ホイール）とキャスター付き収納ケースを提供する。【解決手段】キャスター１００は、回転軸２０を中心に回転する回転車輪（回転ホイール）１０と、支え台４０と、連結軸３０と、を備える。支え台４０は鉛直下方に球面を有する中空半球形状を有する。連結軸３０は鉛直方向に沿って、支え台４０の上端の中央部に配置され、支え台を回転可能に支持する。回転軸２０は、回転車輪１０が回転可能に支え台４０の下端に配置されている。回転軸２０の中心に沿う第１仮想直線Ｊ１と、連結軸３０の中心を通って鉛直方向に延びる第２仮想直線Ｊ２とは交差しない。キャスター付き収納ケースは、収納ケース本体の下面にキャスター１００が配置されている。【選択図】図１
0003213485.tif 000002
【実用新案登録請求の範囲】
【請求項１】
回転軸を中心に回転する回転車輪と、
前記回転軸の端部を支持すると共に被支持物を支える支え台と、
前記支え台と前記被支持物とを連結する連結軸と、
を備え、
前記支え台は、鉛直下方に球面を向けた中空半球状の形状を有し、
前記連結軸は、鉛直方向に沿って配置され、且つ前記支え台の上端の中央部に配置され、
前記回転車輪は、前記回転軸を中心に回転できるように前記支え台の下端に配置され、
前記回転軸の中心を通る第１仮想直線は、前記支え台を任意の高さで水平面に平行に切った断面の円の中心を繋いだ第２仮想直線と交差しない、
ことを特徴とするキャスター。
【請求項２】
前記支え台の外円の直径は、上端から下端へ行くに従って徐々に小さくなる、
ことを特徴とする請求項１に記載のキャスター。
【請求項３】
前記支え台の下部には、前記回転車輪を収容可能な車輪収容凹部と前記回転軸を収容可能な回転軸収容凹部とが形成され、
前記回転車輪には、前記回転軸が嵌め込まれ、
前記回転軸の端部は、前記回転軸収容凹部に配置される、
ことを特徴とする請求項１に記載のキャスター。
【請求項４】
前記回転軸収容凹部の開口寸法は前記回転軸の直径より小さい、
ことを特徴とする請求項３に記載のキャスター。
【請求項５】
前記連結軸は第１端部と第２端部とを含み、前記第１端部と前記第２端部にはリング形のクランピング部品が設置され、前記連結軸は、前記第１端部または前記第２端部のクランピング部品を通じて、回転できるように前記支え台上部の連結孔内に設置される、
ことを特徴とする請求項１に記載のキャスター。
【請求項６】
前記連結軸はポリカーボネートで形成される、
ことを特徴とする請求項１乃至５のいずれか１項に記載のキャスター。
【請求項７】
前記回転軸はポリカーボネートで形成される、
ことを特徴とする請求項１乃至５のいずれか１項に記載のキャスター。
【請求項８】
収納ケース本体の底には請求項１乃至７のいずれか１項に記載のキャスターが設けられた構成を有する、
ことを特徴とするキャスター付き収納ケース。
【請求項９】
前記キャスターの数は４つであり、４つの前記キャスターは前記収納ケース本体が有する矩形の前記底の４つのコーナーに設けられる、
ことを特徴とする請求項８に記載のキャスター付き収納ケース。
【請求項１０】
前記キャスターの数は６つであり、４つの前記キャスターは前記収納ケース本体の矩形の前記底の４つのコーナーに設けられ、２つの前記キャスターは前記収納ケース本体の矩形の前記底の縁の中央に設けられる、
ことを特徴とする請求項８に記載のキャスター付き収納ケース。
【考案の詳細な説明】
【技術分野】
【０００１】
本考案は、キャスターとキャスター付き収納ケースに関する。
【背景技術】
【０００２】
キャスター（ホイール）は、一般的に運搬に用いられる構造物である。キャスターは、キャスターに乗せられた収納ケースが移動するときに、これに合わせて回転しつつ方向を転換する。しかし、従来のキャスターは、進行中に障害物が挟まり、回転しつつ方向転換することができなくなり、スムーズに動かなくなるものが多い。
【考案の概要】
【考案が解決しようとする課題】
【０００３】
本考案の主な目的は、スムーズに方向転換できるキャスターとキャスター付き収納ケースを提供することである。
【課題を解決するための手段】
【０００４】
上記目的を達成するために、本考案のキャスターは、
回転軸を中心に回転する回転車輪と、
前記回転軸の端部を支持すると共に被支持物を支える支え台と、
前記支え台と前記被支持物とを連結する連結軸と、
を備え、
前記支え台は、鉛直下方に球面を向けた中空半球状の形状を有し、
前記連結軸は、鉛直方向に沿って配置され、且つ前記支え台の上端の中央部に配置され、
前記回転車輪は、前記回転軸を中心に回転できるように前記支え台の下端に配置され、
前記回転軸の中心を通る第１仮想直線は、前記支え台を任意の高さで水平面に平行に切った断面の円の中心を繋いだ第２仮想直線と交差しない、
ことを特徴とする。
【０００５】
好ましくは、前記支え台の外円の直径は、上端から下端へ向かうに従って徐々に小さくなる。
【０００６】
好ましくは、前記支え台の下部には、前記回転車輪を収容可能な車輪収納凹部と前記回転軸を収容可能な回転軸収容凹部とが形成され、前記回転車輪には、前記回転軸が嵌め込まれ、前記回転軸の端部は、前記回転軸収容凹部に配置される。
【０００７】
好ましくは、前記回転軸収容凹部の開口寸法は前記回転軸の直径より小さい。
【０００８】
好ましくは、前記連結軸は第１端部と第２端部とを含み、前記第１端部と前記第２端部にはリング形のクランピング部品が設置され、前記連結軸は、前記第１端部または前記第２端部のクランピング部品を通じて、回転できるように前記支え台上部の連結孔内に設置される。
【０００９】
好ましくは、前記連結軸はポリカーボネートで形成される。
【００１０】
好ましくは、前記回転軸はポリカーボネートで形成される。
【００１１】
上記目的を達成するために、本考案のキャスター付き収納ケースは、収納ケース本体の底には上記キャスターが設けられた構成を有する。
【００１２】
好ましくは、前記キャスターの数は４つであり、４つの前記キャスターは前記収納ケース本体が有する矩形の前記底の４つのコーナーに設けられる。
【００１３】
好ましくは、前記キャスターの数は６つであり、４つの前記キャスターは前記収納ケース本体の矩形の前記底の４つのコーナーに設けられ、２つの前記キャスターは前記収納ケース本体の矩形の前記底の縁の中央に設けられる。
【考案の効果】
【００１４】
本考案のキャスター及びキャスター付き収納ケースは、スムーズに方向を転換できる。
【図面の簡単な説明】
【００１５】
【図１】本考案の一実施形態に係るキャスターの分解斜視図である。
【図２】本考案の一実施系値に係るキャスター付き収納ケースの下面図である。
【考案を実施するための形態】
【００１６】
本考案が考案の目的を達成していること、考案の機能的特徴および効果について、実施の形態と結合して、添付図を参照して、説明する。
【００１７】
なお、以下の実施例及び実施の形態は、本考案の一部の実施例及び実施の形態であり、これらに限定されるものではない。本考案中の実施例に基づき、本技術分野の通常の知識を有するものが創造性を働かせずに得られるすべてのその他の実施例は、いずれも本考案の保護範囲に属する。
【００１８】
本明細書において、方向を示す用語（例えば、上、下、左、右、前、後……）は、図面の状態のときの方向を示しており、別の状態のときには、別の方向を示す場合がある。
【００１９】
また、本明細書において、「第１」、「第２」の語句は、区別のために使用されているに過ぎず、どちらが第１か第２かということに、相対的な重要性や技術的特徴を有するわけではなく、また、暗示しているわけでもない。従って、「第１」や「第２」という語句が付いていても、「第１」や「第２」の語句が修飾する語句の特徴を有するに過ぎない。本明細書において、別途のはっきりとした限定がない限り、「複数」との意味は少なくとも２つはあるということである。例えば、２つ、３つなどである。
【００２０】
本考案において、用語の「連結」、「固定」などは広義的に理解すべきで、例えば、別途の明確な限定がない限り、「固定」は固定連結、取り外し可能な連結、またはソリッド連結などと理解することができ、機械的連結、電気連結、直接連結、中間媒質を通じた間接連結などと理解することができ、２つの素子の連通または２つの素子の相互作用関係と理解することができる。本分野の通常の技術者なら、具体的な事情によって上記用語の本考案における具体的な意味を十分理解できるはずである。
【００２１】
また、本考案の各実施例の間の技術手段は相互結合することができるが、しかし、これは本分野の通常の技術者によって実現できることを前提としなければならず、技術手段の結合に相互矛盾が発生、または実現できない場合には、この技術手段の結合は存在しないと認めるべきで、本考案の保護範囲にも属しないと認める。
【００２２】
図２は、本考案の一実施形態に係るキャスター付き収納ケース２００を下方から見た裏面図である。図２に示されるように、キャスター付き収納ケース２００は、収納ケース本体２００Ａと、キャスター１００と、を有する。キャスター１００は、収納ケース本体２００Ａの、例えば、四角状の底面の各角部に取付けられている。なお、収納ケース本体２００Ａは、ものを収納できれば、その形態、形状、サイズなどは問わない。
【００２３】
図１は、本考案の一実施形態に係るキャスター（ホイール）１００の分解斜視図である。図１に示されるように、キャスター１００は、支え台４０と、連結軸３０と、回転軸２０が篏合している回転車輪１０と、を備える。
【００２４】
支え台４０は、半円球状の外形形状を有する。ただし、完全な半球である必要はなく、半球よりも大きくても小さくてもよい。また、半円球状には下面に半円球状の部分を備える円筒状なども含まれる。支え台４０は、球面を鉛直下方に向けて配置されている。支え台４０は、所定の板厚を有する中空半球形状を有している。このため、支え台４０は、キャスター１００が地面に置かれた状態において、水平面に平行な面（図２中のＸ軸とＹ軸とを含む平面）で切った断面が中空円形状に形成されている。支え台４０は、支持される被支持物、例えば収納ケース本体２００Ａを支える台である。
【００２５】
本実施の形態において、連結軸３０は、支え台４０の上部に、連結軸３０の軸が鉛直方向を向き、且つ回転できるように支え台４０の上端の中央部、望ましくは中心に配置される。連結軸３０は、第１端部３０ａと第２端部３０ｂとを含み、第１端部３０ａは支え台４０と連結され、第２端部３０ｂは支えられる物体（被支持物）に連結される。例えば、衣装タンスを支える場合、第２端部３０ｂが衣装タンスの底と繋がり、冷蔵庫を支える場合、第２端部３０ｂが冷蔵庫の底と連結される。衣装タンス、冷蔵庫も、収納ケース本体２００Ａの一例に相当する。
【００２６】
本実施形態において、第１端部３０ａと第２端部３０ｂには、いずれもリング形のクランピング部品３１が設置されている。連結軸３０は、第１端部３０ａと第２端部３０ｂの一方のクランピング部品３１を通じて回転できるように支え台４０上部の連結軸孔４１内に設置され、他方は、被支持物に連結される。第１端部３０ａと第２端部３０ｂとの少なくとも一方は、回転可能に連結される。例えば、第１端部３０ａと支え台４０とは固定的に連結され、第２端部３０ｂと被支持物は回転可能に連結される。また、第１端部３０ａと支え台４０が回転可能に連結され、第２端部３０ｂと被支持物とを固定的に連結してもよく、また、回転可能に連結してもよい。これによって、支え台４０は、使用中に、平面上で３６０°回転することができる。
【００２７】
回転車輪（回転ホイール）１０は、回転軸２０によって回転できるように支え台４０の下端に支持されている。支え台４０は、回転車輪１０の一部を収容し覆うように形成されている。本実施例において、支え台４０の底には回転車輪１０を収容する車輪収容凹部４０ａと回転軸２０の両端部を収容する回転軸収容凹部４０ｂが形成されている。回転車輪１０の中心穴には回転軸２０が嵌め込まれている。回転軸２０の端部は回転軸収容凹部４０ｂに収容され、使用時に、例えば、水平となるように支持される。具体的な実施形態において、回転軸収容凹部４０ｂの開口寸法Ｗ１は回転軸２０の直径Ｗ２よりやや小さい。これによって、回転軸２０は少しの力を受ける状況下で回転軸収容凹部４０ｂの中に挿し込まれ、脱着しないようにすることができる。
【００２８】
なお、回転軸２０の回転中心を通る第１仮想直線Ｊ１は、支え台４０を任意の高さにおい水平面で切断した断面の外円（外周側の面）の中心を繋いだ第２仮想直線Ｊ２と交差せず、ずれている。換言すると、支え台４０の重心Ｊ３を通って鉛直方向に延びる連結軸３０の中心を通る仮想直線Ｊ２は、回転車輪１０の中心を通る仮想直線Ｊ１は、交差しない位置関係にある。また、回転車輪１０の第１仮想直線Ｊ１は、第２仮想直線Ｊ２上にある連結軸３０の真下に配置されない。さもないと方向転換の効果が得られない。
【００２９】
原価節減と軽量化のために、本実施例中の回転車輪１０、回転軸２０、支え台４０および連結軸３０は、好ましくは、ポリカーボネートで作られる。
【００３０】
本実施形態では、鉛直下方に球面を向けた中空半球状の形状を有する支え台４０が設けられたので、障害物が支え台４０と回転車輪１０との間に挟まることを避けることができる。そのために、キャスター付き収納ケース２００が移動している間に、キャスター１００が方向転換し易い。こうして、キャスター付き収納ケース２００の使いやすさが向上する。
【００３１】
この他にも、本考案では底にキャスター１００が設けられる収納ケース本体２００Ａを含むキャスター付き収納ケース２００が提供される。
【００３２】
ある具体的な実施形態において、図２に例示するように、収納ケース本体２００Ａの水平面に平行な断面は正方形であり、キャスター１００の数は４つであり、４つの前記キャスター１００は前記ケースの矩形底の４つのコーナーに設けられる。
【００３３】
その他の具体的な実施形態において、収納ケース本体２００Ａの水平面に平行な断面は長方形であり、底の４つのコーナーにはそれぞれ１つのキャスター１００が設けられ、２つの比較的長い辺の真ん中にはそれぞれ１つのキャスター１００が設けられ、計６つのキャスター１００が設けられる。
【００３４】
上記具体的な実施形態において、キャスター１００の具体的な構造は上記実施例を参照したものであり、本実施例中の収納ケースは上記あらゆる実施例のすべての技術手段を使用したので、少なくとも上記実施例の技術手段によって生じるあらゆる有益な効果があり、ここでは一々と説明しない。
【００３５】
上述のように、使用時にキャスター１００の水平方向の回転軸に相当し鉛直方向に延びる仮想軸Ｊ２と、回転車輪１０の回転の軸に相当し、使用時に水平に延びる仮想軸Ｊ１とは、交差していない。この条件がみたされるならば、回転車輪１０は、回転軸２０と別体でも一体でもよく、回転車輪１０と回転軸２０とが一体で回転する形態でも、回転車輪１０が回転軸２０の周囲を回転する形態でもよい。このようにキャスター１００の構成は適宜に変更可能である。
【００３６】
上記説明はただの本考案の最良の実施形態であり、本考案の保護範囲を限定するものではない。本考案の構造に基づき、本考案の明細書および添付図の内容を利用して行った等価の構造変換、または直接／間接的にその他の関連分野への運用はいずれも本考案の保護範囲内に属する。
【図１】
0003213485.tif 000003
【図２】
0003213485.tif 000004